(57)【要約】【課題】鉄心とコイルとの絶縁距離を増加する。【解決手段】中央磁路５と外磁路６と継鉄部７とを有する鉄心２を備えると共に、鉄心２の中央磁路５にコイルボビン４を介して巻回されてなるコイル３を備え、コイルボビン４は、ボビン本体１１と、このボビン本体１１の両端に設けられた鍔部８とを有し、継鉄部７が外磁路６と交差するように鍔部８の外面に沿って配置された電磁装置において、継鉄部７と外磁路６との交差部分Ａの内側コーナ部に、鉄心２とコイル３との絶縁距離を増加させるように、切り欠き凹部１０が設けた。【選択図】　　　図１
2004023080.tif 000002
【特許請求の範囲】
【請求項１】
中央磁路（５）と外磁路（６）と継鉄部（７）とを有する鉄心（２）を備えると共に、鉄心（２）の中央磁路（５）にコイルボビン（４）を介して巻回されてなるコイル（３）を備え、コイルボビン（４）は、ボビン本体（１１）と、このボビン本体（１１）の両端に設けられた鍔部（８）とを有し、継鉄部（７）が外磁路（６）と交差するように鍔部（８）の外面に沿って配置された電磁装置において、
前記継鉄部（７）と前記外磁路（６）との交差部分（Ａ）の内側コーナ部に、前記鉄心（２）とコイル（３）との絶縁距離を増加させるように、切り欠き凹部（１０）が設けられていることを特徴とする電磁装置。
【発明の詳細な説明】
本発明は、例えば、放電灯用の安定器として用いられている電磁装置に関するものである。
【０００１】
【発明の属する技術分野】
【０００２】
【従来の技術】
放電灯用の安定器として用いられている電磁装置は、図５に示すように、中央磁路１０４と一対の外磁路１０５と一対の継鉄部１０６（１０６ａ、１０６ｂ）とを有する鉄心１０１を備えると共に、鉄心１０１の中央磁路１０４にコイルボビン１０３を介して巻回されてなるコイル１０２とを備え、コイルボビン１０３は、ボビン本体１０７と、このボビン本体１０７の両端部に設けられた一対の鍔部１０８（１０８ａ、１０８ｂ）とを有し、一対の継鉄部１０６（１０６ａ、１０６ｂ）が外磁路１０５と交差するように鍔部１０８の外面に沿って配置され、継鉄部１０６ｂと中央磁路１０４との間にはギャップ１０９が設けられたものがある。
【０００３】
このような電磁装置１００は、鉄心１０１とコイル１０２との間には絶縁距離が必要であり、この絶縁距離を確保することにより、鉄心１０１とコイル１０２との絶縁がなされている。
【０００４】
【発明が解決しようとする課題】
しかしながら、従来の電磁装置では、小型化のために鍔部１０８ａの肉厚を薄くすると、特にギャップ１０９が設けられていない側において、継鉄部１０６ａと外磁路１０５との交差部分Ａと、コイル１０２の鍔部１０８ａ側の端部Ｂとの間の絶縁距離が確保できなくなり絶縁不良が発生する恐れがあった。
このため、鍔部１０８の肉厚を薄くして電磁装置を小型化するには限界があった。
【０００５】
そこで、本発明は、上記問題点に鑑み、鉄心とコイルとの絶縁距離を増加することができ、且つ、小型化を維持できる電磁装置を提供することを目的する。
【０００６】
【課題を解決するための手段】
この技術的課題を解決するための本発明の技術的手段は、中央磁路５と外磁路６と継鉄部７と有する鉄心２を備えると共に、鉄心２の中央磁路５にコイルボビン４を介して巻回されてなるコイル３を備え、コイルボビン３は、ボビン本体１１と、このボビン本体１１の両端に設けられた鍔部８とを有し、継鉄部７が外磁路６と交差するように鍔部８の外面に沿って配置された電磁装置において、
前記継鉄部７と前記外磁路６との交差部分Ａの内側コーナ部に、前記鉄心２とコイル３との絶縁距離を増加させるように、切り欠き凹部１０が設けられている点にある。
【０００７】
【発明の実施の形態】
以下、本発明の実施の形態を図に基づき説明する。
図１は本発明に係る電磁装置の一実施の形態を示している。この電磁装置は、例えば放電灯用の安定器として用いられている。
図１に示すように、この電磁装置１は、鉄心２と、コイル３と、コイルボビン４とを有している。
鉄心２は、Ｔ字型積層鉄心２ａとＣ型積層鉄心２ｂとを略日字形に組み合わせて構成され、中央磁路５と、一対の外磁路６と、この一対の外磁路６を互いに連結する継鉄部７（７ａ、７ｂ）とを有している。
【０００８】
コイルボビン４は、合成樹脂等により形成され、筒状のボビン本体１１と、このボビン本体１１の両端部に設けられた鍔部８（８ａ、８ｂ）とを有している。
ボビン本体１１は、中央磁路５に外嵌されており、このボビン本体１１にコイル３が巻回されている。コイル３の外周面には絶縁テープ１２（絶縁シート）が設けられており、これによりコイル３は絶縁されている。この絶縁テープ１２と外磁路６との間には絶縁スペース１３が設けられている。
なお、コイル３の外周面に絶縁テープ１２（絶縁シート）を設けることによりコイル３は絶縁されているが、コイル３はその他の材料で絶縁されていてもよい。
【０００９】
継鉄部７は、コイルボビン４の鍔部８の外面に沿って設けられており、継鉄部７と外磁路６とは交差し互いに接合され、又は、一体化されている。　　中央磁路５と一方の継鉄部７ｂとの間にはギャップ９が設けられ、他方の継鉄部７ａと外磁路６とが交差している交差部分Ａの内側コーナー部には、鉄心２を内側に切り欠く切り欠き凹部１０が設けられている。
図１、２に示すように、この切り欠き凹部１０は、鉄心２の内側面を切り欠くように凹状になっている。
【００１０】
上記実施の形態よれば、切り欠き凹部１０を他方の継鉄部７ａと外磁路６とが交差している交差部分Ａの内側コーナー部に設けたので、この交差部分Ａとコイル３の鍔部８ａ側の端部Ｂとの間の絶縁距離を増加させることができ、小型化のためにコイルボビンの鍔部８ａの肉厚を薄くしても、交差部分Ａと端部Ｂとの絶縁不良を防止することができる。
したがって、交差部分Ａとコイル３の鍔部８ａ側の端部Ｂとの間の絶縁距離を確保することができるので、コイルボビンの鍔部８ａの肉厚を極力薄くすることが可能であり、電磁装置１を小型化することができる。
【００１１】
図３は本発明に係る電磁装置の他の実施形態を示している。
この電磁装置１は、上記記載の一実施の形態と同様に内側コーナー部に切り欠き凹部１０を設け、Ｔ型鉄心２ａに対してコイルボビン４を一体に形成したものであり、具体的には、Ｔ型積層鉄心２ａを金型に挿入し、コイルボビン４をＴ型積層鉄心２ａと一体化できるように射出成形（インサート射出成形）したものである。その他の構成は上記記載の一実施の形態１と同様である。
このコイルボビン４には、切り欠き凹部１０に突出するように絶縁突起部１４が鍔部８ａの端部に設けられており、この絶縁突起部１４は継鉄部７ａ側の切り欠き凹部１０の内面を被覆している。その他の構成は上記記載の一実施の形態１と同様である。
【００１２】
したがって、上記記載の実施の形態と同様に交差部分Ａとコイル３の鍔部８ａ側の端部Ｂとの絶縁不良を防止することができ、コイルボビンの鍔部８ａの肉厚を極力薄くして電磁装置１を小型化することができる。
さらに、絶縁突起部１４が継鉄部７ａ側の切り欠き凹部１０の内面を被覆しているので、交差部分Ａと端部Ｂとの絶縁をより効果的になすことができる。
図４は本発明に係る電磁装置の他の実施形態を示している。
上記記載の一実施の形態では、ギャップ９が設けられていない側の内側コーナー部に切り欠き凹部１０が設けられていたが、この電磁装置１はギャップ９を設けている内側コーナー部にも切り欠き凹部１０を設けたものである。その他の構成は上記記載の一実施の形態１と同様である。
【００１３】
図４に示すように、ギャップ９を設けている内側コーナー部に切り欠き部１０を設けたので、継鉄部７ｂと外磁路６とが交差している交差部分Ａ（ギャップ９側）とコイル３の鍔部８ｂ側の端部Ｂとの間の絶縁距離を増加させることができる。
即ち、ギャップ９の幅が薄い等によりギャップ側の交差部分Ａとコイル３の鍔部８ｂ側の端部Ｂとの間の絶縁距離を取ることが困難な場合においても、この絶縁距離を増加させて確保することができる。
【００１４】
本発明は、上記実施の形態に限定されるものではない。
すなわち、実施の形態は、本発明の電磁装置として放電灯用の安定器を適用しているが本発明の電磁装置は、放電灯用の安定器に限定されず、本発明をトランス等その他の電磁装置に適用実施してもよい。
また、上記の実施の形態では、鉄心２をＴ型積層鉄心２ａとＣ型積層鉄心２ｂとを組み合わせて略日形に構成していたが、例えばＥ型積層鉄心とＩ型積層鉄心を組み合わせたものやＥ型積層鉄心とＥ型積層鉄心を組み合わせたものなど、その他の鉄心を組み合わせたものでもよい。
【００１５】
また、上記実施の形態では、ギャップ９を設けている電磁装置１に切り欠き凹部１０を設けていたが、ギャップ９が設けられていない電磁装置にも適用実施することができる。
【００１６】
【発明の効果】
本発明によれば、鉄心とコイルとの絶縁距離を増加することができ、且つ、小型化を維持できる電磁装置を提供できる。
【図面の簡単な説明】
【図１】本発明に係る一実施の形態の電磁装置の側面図である。
【図２】同コーナー部の詳細図である。
【図３】本発明に係る他の実施の形態の電磁装置の側面図である。
【図４】本発明に係る他の実施の形態の電磁装置の側面図である。
【図５】従来の電磁装置の側面図である。
【符号の説明】
１　　電磁装置
２　　　鉄心
３　　　コイル
４　　コイルボビン
５　　中央磁路
６　　外磁路
７　　継鉄部
８　　鍔部
１０　切り欠き凹部
Ａ　　交差部分
【図１】
2004023080.tif 000003
【図２】
2004023080.tif 000004
【図３】
2004023080.tif 000005
【図４】
2004023080.tif 000006
【図５】
2004023080.tif 000007